【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
診断を監視および／または実行するための装置であって、前記装置は、
身体内の第１の組織の特性を測定するための第１の埋込型デバイスであって、前記第１の埋込型デバイスは、筐体を有し、前記筐体は、
前記第１の組織の特性のＲＦ測定または前記第１の組織から反射された信号の分析のうちの少なくとも１つを使用して、前記第１の埋込型デバイスに前記第１の組織の特性を測定させるための第１の処理回路を含み、前記信号は、前記第１の埋込型デバイスによって前記第１の組織に向かって伝送される、
第１の埋込型デバイスと、
前記身体内の第２の組織の特性を測定するための第２の埋込型デバイスであって、前記第２の埋込型デバイスは、筐体を有し、前記筐体は、
少なくとも１つのセンサを使用して、前記第２の埋込型デバイスに前記第２の組織の特性を測定させるための第２の処理回路を含む、
第２の埋込型デバイスと
を備え、
前記第２の埋込型デバイスは、前記第１の埋込型デバイスに通信可能に結合され、前記第１の埋込型デバイスと前記身体外に配置されている少なくとも１つの処理デバイスとのうちの少なくとも１つに、前記第２の組織の測定された特性についての情報を提供する、装置。
【請求項２】
前記第１の埋込型デバイスは、前記第１の埋込型デバイスに給電するための電源を含む、請求項１に記載の装置。
【請求項３】
前記第１の埋込型デバイスは、エネルギーを前記第２の埋込型デバイスに伝送し、前記第２の埋込型デバイスを給電し、および／または、前記第１の埋込型デバイスの電源は、前記第２の埋込型デバイスに給電し、前記第１の埋込型デバイスの筐体は、前記第２の埋込型デバイスを含む、請求項２に記載の装置。
【請求項４】
前記第１の組織の特性は、前記第１の組織の含水レベル、前記第１の組織の誘電特性、および／または、前記第１の組織の高周波（「ＲＦ」）測定であり、前記第２の組織の特性は、血圧である、請求項１に記載の装置。
【請求項５】
前記第１の埋込型デバイスは、ダイポールアンテナ、ワイヤループアンテナ、ステントベースのアンテナ、およびプリントアンテナからなる群から選択されるアンテナを含み、および／または、前記第２の埋込型デバイスは、肺動脈血圧センサおよび左心房圧力センサから成る群から選択される、請求項１に記載の装置。
【請求項６】
前記第１の埋込型デバイスは、前記第２の埋込型デバイスと無線通信し、および／または、前記第１の埋込型デバイスは、ワイヤを使用して、前記第２の埋込型デバイスと接続される、請求項１に記載の装置。
【請求項７】
前記第１の埋込型デバイスの筐体および／または前記第２の埋込型デバイスの筐体は、生体適合性材料から製造される、請求項１に記載の装置。
【請求項８】
前記第２の埋込型デバイスは、前記第１の埋込型デバイスによって伝送される少なくとも１つの信号を反射し、前記第１の埋込型デバイスは、前記反射された信号を受信する、請求項１に記載の装置。
【請求項９】
前記第２の埋込型デバイスは、前記第１の埋込型デバイスによって伝送された前記信号の反射の前に、前記信号を変調する、請求項８に記載の装置。
【請求項１０】
前記少なくとも１つのセンサは、ＲＦセンサ、レーダ、および誘電率測定装置のうちの少なくとも１つである、請求項１に記載の装置。
【請求項１１】
前記第１の埋込型デバイスの筐体は、アンテナをさらに含み、
前記第１の処理回路は、前記アンテナを使用することによって前記第１の埋込型デバイスに前記第１の組織の特性を測定させ、
前記第１の埋込型デバイスは、前記身体内の管腔に埋め込まれ、さらに、
高周波信号を発生させることと、
前記発生された信号に基づいて、前記管腔の少なくとも１つの組織の少なくとも１つの特性を決定することと
を行うように構成され、
前記少なくとも１つの特性は、前記管腔内の圧力、前記管腔に近接する少なくとも１つの組織の誘電特性、前記管腔の近位の少なくとも１つの組織の電磁特性、および前記管腔の近位の少なくとも１つの組織の含水レベルのうちの少なくとも１つを含む、請求項１に記載の装置。
【請求項１２】
前記第１の埋込型デバイスは、前記身体の内側の管腔内に全体的または部分的に埋め込まれ、前記第１の埋込型デバイスは、前記管腔の少なくとも１つの内壁を支持する、請求項１１に記載の装置。
【請求項１３】
前記アンテナは、ダイポールアンテナ、ワイヤループアンテナ、ステントベースのアンテナ、およびプリントアンテナのうちの少なくとも１つである、請求項１１に記載の装置。
【請求項１４】
前記管腔は、肺動脈、脾臓、および内臓脈管のうちの少なくとも１つである、請求項１１に記載の装置。
【請求項１５】
前記第１の埋込型デバイスは、前記決定された特性を示す信号を前記身体外に位置する少なくとも１つのデバイスに伝送する、請求項１１に記載の装置。
【手続補正２】
【補正対象書類名】明細書
【補正対象項目名】００２２
【補正方法】変更
【補正の内容】
【００２２】
本明細書に説明される主題の１つ以上の変形例の詳細は、付随の図面および以下の説明に記載される。本明細書に説明される主題の他の特徴および利点は、説明および図面、ならびに請求項から明白となるであろう。
本願明細書は、例えば、以下の項目も提供する。
（項目１）
診断を監視および／または実行するための装置であって、前記装置は、
身体内の第１の組織の特性を測定するための第１の埋込型デバイスであって、筐体を有し、前記筐体は、
前記第１の組織の特性のＲＦ測定または前記第１の組織から反射された信号の分析のうちの少なくとも１つを使用して、前記第１の埋込型デバイスに前記第１の組織の特性を測定させるための第１の処理回路を含み、前記信号は、前記第１の埋込型デバイスによって前記第１の組織に向かって伝送される、
第１の埋込型デバイスと、
身体内の第２の組織の特性を測定するための第２の埋込型デバイスであって、筐体を有し、前記筐体は、
少なくとも１つのセンサを使用して、前記第２の埋込型デバイスに前記第２の組織の特性を測定させるための第２の処理回路を含む、
第２の埋込型デバイスと
を備え、
前記第２の埋込型デバイスは、前記第１の埋込型デバイスに通信可能に結合され、前記第１の埋込型デバイスおよび前記身体外に配置されている少なくとも１つの処理デバイスのうちの少なくとも１つに、前記第２の組織の測定された特性についての情報を提供する、
装置。
（項目２）
前記第１の埋込型デバイスは、前記第１の埋込型デバイスに給電するための電源を含む、項目１に記載の装置。
（項目３）
前記第１の埋込型デバイスは、エネルギーを前記第２の埋込型デバイスに伝送し、前記第２の埋込型デバイスを給電する、項目２に記載の装置。
（項目４）
前記第１の組織の特性は、前記第１の組織の含水レベル、前記第１の組織の誘電特性、および前記第１の組織の高周波（「ＲＦ」）測定のうちの少なくとも１つであり、前記第２の組織の特性は、血圧である、項目１に記載の装置。
（項目５）
前記第１の埋込型デバイスは、ダイポールアンテナ、ワイヤループアンテナ、ステントベースのアンテナ、およびプリントアンテナからなる群から選択されるアンテナを含む、項目１に記載の装置。
（項目６）
前記第１の埋込型デバイスは、前記第２の埋込型デバイスと無線通信する、項目１に記載の装置。
（項目７）
前記第１の埋込型デバイスは、ワイヤを使用して、前記第２の埋込型デバイスと接続される、項目１に記載の装置。
（項目８）
前記第１の埋込型デバイスの筐体は、前記第２の埋込型デバイスを含み、前記第１の埋込型デバイスの電源は、前記第２の埋込型デバイスに給電する、項目１に記載の装置。
（項目９）
前記第２の埋込型デバイスは、肺動脈血圧センサおよび左心房圧力センサから成る群から選択される、項目１に記載の装置。
（項目１０）
前記第１の埋込型デバイスの筐体および前記第２の埋込型デバイスの筐体は、生体適合性材料から製造される、項目１に記載の装置。
（項目１１）
前記第２の埋込型デバイスは、前記第１の埋込型デバイスによって伝送される少なくとも１つの信号を反射し、前記第１の埋込型デバイスは、前記反射された信号を受信する、項目１に記載の装置。
（項目１２）
前記第２の埋込型デバイスは、前記第１の埋込型デバイスによって伝送された前記信号の反射の前に、前記信号を変調する、項目１１に記載の装置。
（項目１３）
診断を監視および／または実行するための装置であって、前記装置は、
身体内の組織の特性を測定する埋込型デバイスであって、筐体を有し、前記埋込型デバイスは、前記身体内の管腔に埋め込まれる、埋込型デバイス
を備え、
前記筐体は、
アンテナと、
前記アンテナを使用して、前記埋込型デバイスに前記組織の特性を測定させるための処理回路と
を含み、
前記埋込型デバイスは、
高周波信号を発生させ、
前記発生された信号に基づいて、前記管腔の少なくとも１つの組織の少なくとも１つの特性を決定し、前記少なくとも１つの特性は、前記管腔内の圧力、前記管腔に近接する少なくとも１つの組織の誘電特性、前記管腔の近位の少なくとも１つの組織の電磁特性、および前記管腔の近位の少なくとも１つの組織の含水レベルのうちの少なくとも１つを含む
ように構成される、
装置。
（項目１４）
前記埋込型デバイスは、前記身体の内側の管腔内に全体的または部分的に埋め込まれ、埋込型デバイスは、前記管腔の少なくとも１つの内壁を支持する、項目１３に記載の装置。
（項目１５）
前記少なくとも１つのセンサは、ＲＦセンサ、レーダ、および誘電率測定装置のうちの少なくとも１つである、項目１３に記載の装置。
（項目１６）
前記アンテナは、ダイポールアンテナ、ワイヤループアンテナ、ステントベースのアンテナ、およびプリントアンテナのうちの少なくとも１つである、項目１３に記載の装置。
（項目１７）
前記管腔は、肺動脈、脾臓、および内臓脈管のうちの少なくとも１つである、項目１３に記載の装置。
（項目１８）
前記埋込型デバイスは、前記決定された特性を示す信号を前記身体外に位置する少なくとも１つのデバイスに伝送する、項目１３に記載の装置。
（項目１９）
診断を監視および／または実行するための装置であって、前記装置は、
身体内の組織の特性を測定するためのアンテナであって、前記身体内に配置されるチューブ内に埋め込まれる、アンテナと、
前記アンテナに結合されている処理回路であって、前記処理回路は、
高周波信号を発生させ、
前記発生された信号に基づいて、少なくとも１つの組織の少なくとも１つの特性を決定し、前記少なくとも１つの特性は、誘電特性、電磁特性、および含水レベルのうちの少なくとも１つを含む
ように構成される、処理回路と
を備える、装置。
（項目２０）
前記チューブは、外科用ドレインチューブである、項目１９に記載の装置。
（項目２１）
前記チューブは、カテーテルである、項目１９に記載の装置。
（項目２２）
前記チューブは、尿カテーテルである、項目１９に記載の装置。
（項目２３）
前記チューブは、注入ラインである、項目１９に記載の装置。
（項目２４）
前記チューブは、気管チューブである、項目１９に記載の装置。
（項目２５）
前記装置は、末梢浮腫を測定するために使用される、項目１９に記載の装置。
（項目２６）
前記装置は、皮下浮腫を測定するために使用される、項目１９に記載の装置。
（項目２７）
前記装置は、腸管浮腫を測定するために使用される、項目１９に記載の装置。
（項目２８）
診断を監視および／または実行するための方法であって、前記方法は、第１の処理回路を含む筐体を有する第１の埋込型デバイスと、第２の処理回路を含む筐体を有する第２の埋込型デバイスとを有するシステムを使用し、前記第２の埋込型デバイスは、前記第１の埋込型デバイスに通信可能に結合され、前記方法は、
前記第１の埋込型デバイスを使用して、第１の組織の特性のＲＦ測定または前記第１の組織から反射された信号の分析のうちの少なくとも１つを使用して、前記身体内の前記第１の組織の特性を測定することであって、前記信号は、前記第１の埋込型デバイスによって前記第１の組織に向かって伝送される、ことと、
前記第２の埋込型デバイスを使用して、少なくとも１つのセンサを用いて前記身体内の第２の組織の特性を測定することと、
前記第２の埋込型デバイスを使用して、前記第１の埋込型デバイスおよび前記身体外に配置されている少なくとも１つの処理デバイスのうちの少なくとも１つに、前記第２の組織の測定された特性についての情報を提供することと
を含む、方法。
（項目２９）
前記第１の埋込型デバイスは、前記第１の埋込型デバイスに給電するための電源を含む、項目２８に記載の方法。
（項目３０）
前記第１の埋込型デバイスによって、エネルギーを前記第２の埋込型デバイスに伝送することと、
前記伝送されるエネルギーの少なくとも一部を使用して、前記第２の埋込型デバイスに給電することと
をさらに含む、項目２９に記載の方法。
（項目３１）
前記第１の組織の特性は、前記第１の組織の含水レベル、前記第１の組織の誘電特性、および前記第１の組織の高周波（「ＲＦ」）測定のうちの少なくとも１つであり、前記第２の組織の特性は、血圧である、項目２８に記載の方法。
（項目３２）
前記第１の埋込型デバイスは、ダイポールアンテナ、ワイヤループアンテナ、ステントベースのアンテナ、およびプリントアンテナからなる群から選択されるアンテナを含む、項目２８に記載の方法。
（項目３３）
前記第１の埋込型デバイスは、前記第２の埋込型デバイスと無線通信する、項目２８に記載の方法。
（項目３４）
前記第１の埋込型デバイスは、ワイヤを使用して、前記第２の埋込型デバイスと接続される、項目２８に記載の方法。
（項目３５）
前記第１の埋込型デバイスの筐体は、前記第２の埋込型デバイスを含み、前記第１の埋込型デバイスの電源は、前記第２の埋込型デバイスに給電する、項目２８に記載の方法。
（項目３６）
前記第２の埋込型デバイスは、肺動脈血圧センサおよび左心房圧力センサから成る群から選択される、項目２８に記載の方法。
（項目３７）
前記第１の埋込型デバイスの筐体および前記第２の埋込型デバイスの筐体は、生体適合性材料から製造される、項目２８に記載の方法。
（項目３８）
身体内の組織の特性を測定するための埋込型デバイスを使用して診断を監視および／または実行するための方法であって、前記埋込型デバイスは、筐体を有し、前記埋込型デバイスは、前記身体内の管腔に埋め込まれ、前記筐体は、アンテナと、前記アンテナを使用して前記埋込型デバイスに前記組織の特性を測定させるための処理回路とを含み、前記方法は、
高周波信号を発生させることと、
前記発生された信号に基づいて、前記管腔の少なくとも１つの組織の少なくとも１つの特性を決定することであって、前記少なくとも１つの特性は、前記管腔内の圧力、前記管腔の近位の少なくとも１つの組織の誘電特性、前記管腔の近位の少なくとも１つの組織の電磁特性、および前記管腔の近位の少なくとも１つの組織の含水レベルのうちの少なくとも１つを含む、ことと
を含む、方法。
（項目３９）
前記埋込型デバイスは、前記身体の内側の管腔内に全体的または部分的に埋め込まれ、埋込型デバイスは、前記管腔の少なくとも１つの内壁を支持する、項目３８に記載の方法。
（項目４０）
前記少なくとも１つのセンサは、ＲＦセンサ、レーダ、および誘電率測定装置のうちの少なくとも１つである、項目３８に記載の方法。
（項目４１）
前記アンテナは、ダイポールアンテナ、ワイヤループアンテナ、ステントベースのアンテナ、およびプリントアンテナのうちの少なくとも１つである、項目３８に記載の方法。
（項目４２）
前記管腔は、肺動脈、脾臓、および内臓脈管のうちの少なくとも１つである、項目３８に記載の方法。
（項目４３）
前記埋込型デバイスを使用して、前記決定された特性を示す信号を前記身体外に位置する少なくとも１つのデバイスに伝送することをさらに含む、項目３８に記載の方法。
（項目４４）
身体内の組織の特性を測定するためのアンテナと、前記アンテナに結合されている処理回路とを使用して、診断を監視および／または実行するための方法であって、前記アンテナは、前記身体内に配置されたチューブ内に埋め込まれ、前記方法は、
高周波信号を発生させることと、
前記発生された信号に基づいて、少なくとも１つの組織の少なくとも１つの特性を決定することであって、前記少なくとも１つの特性は、誘電特性、電磁特性、および含水レベルのうちの少なくとも１つを含む、ことと
を含む、方法。
（項目４５）
前記チューブは、外科用ドレインチューブである、項目４４に記載の方法。
（項目４６）
前記チューブは、カテーテルである、項目４４に記載の方法。
（項目４７）
前記チューブは、尿カテーテルである、項目４４に記載の方法。
（項目４８）
前記チューブは、注入ラインである、項目４４に記載の方法。
（項目４９）
前記チューブは、気管チューブである、項目４４に記載の方法。
（項目５０）
前記装置は、末梢浮腫を測定するために使用される、項目４４に記載の方法。
（項目５１）
前記装置は、皮下浮腫を測定するために使用される、項目４４に記載の方法。
（項目５２）
前記装置は、腸管浮腫を測定するために使用される、項目４４に記載の方法。